(57)【要約】【課題】  設備工事、電気工事等において、取付対象物を吊りボルト、又は横方向ボルトなどに取付対象物の取付作業にワッシャーを用いるとき、ワッシャーの落下防止の工具を提供する。【解決手段】  吊りボルトに取付対象物の取付工事中にネジ溝、又は胴部にワッシャーを用いるとき取付時不安定から落下することを防ぐワッシャー支持具で、弾力性を持つ一対の脚部の一端を連接し取手部を設けて、一対の脚部は被挟持物が挟持される閉状態にして、一対の脚部の中程に湾曲状を設けて、先端をハの字状に形成し、ハの字状より被挟持物を挿入し、湾曲部で狭持状態とする。  又は、一対のハンドル部の先端は一対の脚部を形成し、一対の脚部に湾曲状を設けて、一対の脚部はスプリングによって被狭持物が狭持される閉状態にして、一対のハンドル操作によって開閉動作で被狭持物を湾曲状に狭持または外すことができることで作業の効率を高めるワッシャー支持具である。【選択図】図１
2016215291.tif 000002
【特許請求の範囲】
【請求項１】
弾力性を持つ一対の脚部の一端を連接し取手部を設けて、前記一対の脚部は被挟持物が挟持される閉状態にして、前記一対の脚部に湾曲状を設けて、さらに先端をハの字状に形成し、前記ハの字状より被挟持物を挿入し、前記湾曲部で狭持状態とすることを特徴とするワッシャー支持具。
【請求項２】
一対のハンドル部を互いに回動可能に係止して、両ハンドルの先端は一対の脚部を形成し、前記一対の脚部に湾曲状を設ける、
前記一対のハンドル、前記一対の脚部の間にバネを設けて、前記一対の脚部は前記バネによって被狭持物が狭持される閉状態にして、前記一対のハンドル操作によって開閉動作で被狭持物を前記湾曲状に狭持または外すことができることを特徴とするワッシャー支持具。
【請求項３】
一対の脚部に径の異なる湾曲状を複数設けたことを特徴とする請求項１または請求項２記載のワッシャー支持具。
【発明の詳細な説明】
【技術分野】
【０００１】
本発明は、設備工事、建設工事、及び電気工事において、吊りボルト等の取付作業でワッシャーの落下防止をして、容易に取付工事をすることに関する。
【背景技術】
【０００２】
従来、エアコン、換気等の設備工事、また配線、配管工事等の取付対象物において用いるもので、これらの取付対象物の取付工事において、吊りボルト、又は取付時不安定な壁面ボルトのネジ溝に取付対象物の取付金具孔を挿入し、その取付金具孔の下にワッシャーを入れながらナットを回し固定する作業において、ワッシャーを支持し、取付対象物も押えながらナットを回して締めつける固定作業の状況は作業効率が悪いものである。
また、取付対象物を押え、ナットをボルトに接触するまでにワッシャーが脱落することがあり作業に困難を生じる問題がある。
【０００３】
そこで、座金の肉厚よりも狭い間隔を保って対向配置すると共に、さらに、両部材の間に差し込まれる座金によって各先端側が押し拡がった際に、それに抗する方向に付勢力が働くように前記両部材の基端側を固着し、両部材の各先端側に形成された挟持部には、先端側に座金を差し込み容易にする差込部を備え、基端側には、ホットティックを連結する取付部を備えていることを特徴とした座金落下防止具がある（例えば特許文献１参照）
【０００４】
また、略鉛直なボルトを挿通するための開口部が形成された座金において、重心が中心からずれたことを特徴とする座金がある（例えば特許文献２参照）
【先行技術文献】
【特許文献】
【０００５】
【特許文献１】特開２００３−２５０２１７
【特許文献２】実用新案公開平成６−３７６１９
【発明の概要】
【発明が解決しようとする課題】
【０００６】
しかし、特許文献１の特許の座金落下防止具は座金を挟んだ状態で固着し支持して作業を行うものであって、一方の手離すことができないものである。
【０００７】
また、特許文献２の考案の座金はボルトの溝に被掛けて落ちないように成形された座金であることから、作業時の振動においては不安定である。
【課題を解決するための手段】
【０００８】
そこで本発明は、上記の課題になされたもので、吊りボルト等の取付作業で様々なワッシャを用いるとき、ワッシャーを手で支持せずボルトのネジ溝等より落下せず、ナットを締めつけが容易にでき、作業の効率を高める工具を提供するものである。
【０００９】
上記の目的を達成するために、本発明は弾力性を持つ一対の脚部の一端を連接し取手部を設けて、一対の脚部は被挟持物が挟持される閉状態にして、一対の脚部に湾曲状を設けて、さらに先端をハの字状に形成し、ハの字状より被挟持物を挿入し、湾曲部で狭持状態とすることを特徴とする。
【００１０】
一対のハンドル部を互いに回動可能に係止して、両ハンドルの先端は一対の脚部を形成し、一対の脚部に湾曲状を設ける、
一対のハンドル、又は一対の脚部の間にバネを設けて、一対の脚部はバネによって被狭持物が狭持される閉状態にして、一対のハンドル操作によって開閉動作で被狭持物を湾曲状に狭持または外すことができることを特徴とする。
【００１１】
前記一対の脚部に径の異なる湾曲状を複数設けたことを特徴とする。
【発明の効果】
【００１２】
以上の説明から明らかのように、本発明にあっては次に列挙する効果が得られる。
【００１３】
天吊り、壁面等のボルトにエアコン、換気装置等を取付においてワッシャーを挿入したワッシャの落下を防止して、ナット締めの取付作業を敏速に進めることができるものである。
【００１４】
また、高所作業において取付箇所が狭く、指でのワッシャーの支持が困難な状況においても有効な作業効果が得られる。
【００１５】
請求項３記載の如く、様々なネジ溝径の異なるボルトに対応することができ、即効性のある工事ができる、よって１台のワッシャー支持具で作業ができることから経済的である。
【図面の簡単な説明】
【００１６】
【図１】本発明の第一実施例の形態の平面図である。
【図２】第一実施例の形態の側面図である。
【図３】第一実施例の形態の斜視図である。
【図４】第一実施例の取っ手部を下部に曲げた側面図である。
【図５】図４の斜視図である。
【図６】ワッシャー支持具を用いて、埋め込みボルトにワッシャーと取付部材を取付状態の要部斜視図である。
【図７】ワッシャー支持具をネジ溝に差し込み、挟持した状態の要部斜視図である。
【図８】本発明の第二実施例の平面図である。
【図９】第二実施例の形態の側面図である。
【図１０】第二実施例のハンドル部を９０度程に曲げた平面図である。
【図１１】図１０の側面図である。
【図１２】第三実施例の弾性を有する一対の脚部に複数の湾曲部を形成した平面図である。
【図１３】第三実施例のハンドル部の先端に一対の脚部に複数の湾曲部を形成した平面図である。
【図１４】第三実施例のワッシャー支持具の湾曲部をネジ溝に差し込み、挟持した状態の要部斜視図である。
【実施例】
【００１７】
本発明の実施例の形態について図面を参照して説明する。
【００１８】
最初に、本発明の第一実施例の形態について図１ないし図８を参照して説明する。
図１は本発明の第一実施例の形態の平面図である。
図２は第一実施例の形態の側面図である。
図３は第一実施例の形態の斜視図である。
図４は第一実施例において、一対の脚部の延長部を下部に曲げた取っ手の側面図である。
図５は図４の斜視図である。
図６はワッシャー支持具を用いて、埋め込みボルトにワッシャーを挿入して取付部材の取付状態の要部斜視図である。
図７はワッシャー支持具をネジ溝に差し込み、挟持してナットを装着する状態の要部斜視図である。
【００１９】
図１、図２、図３、図６、図７に示す如く、１は第一実施例のワッシャー支持具、２と２２は弾力を有した材質の一対の脚部で、３と３３は一対の脚部２と２２の中程に形成した湾曲部である、６は一対の脚部２と２２の一端を連結部で、連結部６に取っ手部５を設ける、
４は一対の脚部２と２２の先端を八の字状に形成で、八の字状４の挿入口７よりボルトＡのネジ溝Ｂの部分を挿入する、
また、被挟持物としてボルトＡのネジ溝Ｂとする。
なお、一対の脚部２と２２を連結せず、取っ手部５で固定をすることも可能である。
【００２０】
上記の構成により本発明のワッシャー支持具１の弾力を有する一対の脚部２と２２にボルトＡのネジ溝Ｂを挟持する状態は、一対の脚部２と２２先端の八の字状４の挿入口７にネジ溝Ｂに接し、取っ手部５より力を加え押し続けることで八の字状４の挿入口７が広がり、ネジ部Ｂを挟みながら湾曲部３Ａと３Ｂに収まり狭持した状態となる。
【００２１】
したがって、本発明の第一実施例のワッシャー支持具１を用いて、埋め込み吊りボルトＡに取付対象物Ｄの取付金具孔ＦをボルトＡのネジ溝Ｂに挿入し、取付金具孔Ｆの下にワッシャーＣを挿入した後に、ワッシャーＣの下側のネジ溝Ｂの径に一対の脚部２と２２の八の字状４の挿入口５を接触し、取っ手部５に力を加え続けることで弾性を有する一対の脚部２と２２は図６と図７に示すように、脚部２と２２、八の字状４は弾力によってａ−ｂのように広がりながら、ネジ溝Ｂを挟みながら次第に湾曲部３と３３に移動して、ネジ溝Ｂが湾曲部３と３３に収まり狭持状態となることで、ワッシャーＣは落下を防ぐことができる、
よって、取付対象物Ｄを支持し、もう一方の手でネジ溝ＢにナットＥを回しさせながら一定の位置まで締めた状態でワッシャー支持具１の取っ手部５によって、ネジ溝Ｂから一対の脚部２と２２を引きぬく、引きぬいた後にナットＥを本締めすることで、極めて効率よく安全に作業を進めることができるものである。
【００２２】
なお、図４、図５に示す如く、連結部６を９０度ほど曲げ取っ手部５を設けたワッシャー支持具１である、
取っ手部５が曲げた構造であると、ナットＥ締めが狭い取付場所においてワッシャー支持具１を用いることで取っ手部５に押す力を容易に加えやすく、ネジ溝Ｂに挟持しやすいものである。
【００２３】
また、本発明の第二実施例の形態について図９ないし図１３を参照して説明する。
図８は第二実施例の形態のハンドル部を備えた平面図である。
図９は第二実施例の形態の側面図である。
図１０はだに実施例のハンドル部を９０度程曲げた状態の平面図である。
図１１は図１０の平面図である。
【００２４】
図８、図９、及び図１０、図１１に示す如く、１aは第二実施例のワッシャー支持具で、９と９１は一対のハンドル部で、枢軸８に一対のハンドル部９と９１が開閉自在に設けられて、一対のハンドル部９と９１は押しバネ１０によって接続して、一対のハンドル部９と９１の先端に一対の脚部２Ａと２ａを形成し押しバネ１０によって一対のハンドル部９と９１に外力を加えない状態では閉じている、また一対のハンドル部９と９１に外力を加えることで、一対の脚部２Ａと２ａは開くようになっている。
【００２５】
一対の脚部2Ａと２ａの中程にボルトＡのネジ溝Ｂを挟持をする湾曲部３Ａと３ａを形成し、一対の脚部２Ａと２ａの先端をハの字状４aにして挿入口７aを形成する。
なお、バネの種類は設ける位置によって異なる、脚部側に設けるときは引きバネを用いる。
【００２６】
上記の構成により本発明のワッシャー支持具１ａの一対の脚部２Ａと２ａにボルトＡのネジ溝Ｂを挟持する状態は、ハンドル部９と９１を持ちながら、一対の脚部２Ａと２ａ先端の八の字状４の挿入口７にネジ溝Ｂに接し、一対のハンドル部９と９１を図８のＣとＤの方向に外力を加えると、一対の脚部２Ａと２ａが図８のｃとｄの方向に広がることで、ネジ溝Ｂを挟むように挿入し、ネジ溝Ｂを湾曲部３Ａと３ａ部分で挟み、押しバネ１０によって狭持状態を維持する。
【００２７】
したがって、本発明の第二実施例はエアコン、換気等の設備工事、また配線、配管工事等の取付対象物Ｄにおいて用いるものである、取付対象物Ｄの取付工事において、埋め込みボルトＡのネジ溝Ｂに取付物体Ｄの取付金具孔Ｆを挿入、その下にワッシャーＣを挿入する、ネジ溝Ｂの径に合せたワッシャー支持具１ａを用いてネジ溝Ｂに挟持する。
ここで、ワッシャー支持具１ａをネジ溝Ｂに挟持するにはワッシャー支持具１aの一対のハンドル部９と９１に外力を加えると、一対の脚部２aと２b、及び湾曲部３aと３bは広がり、ボルトＡのネジ溝Ｂの径に湾曲部３ａと３bを合せて、ハンドル部９と９１に加えた外力を抜くことで一対の脚部２Ａと２ａ、及び湾曲部３Ａと３ａは押しバネ１０によって閉じてネジ溝Ｂの部分を挟み挟持することで、
一対のハンドル部９と９１より手を離すと押しバネ１０によってネジ溝Ｂの部分を挟持状態で維持することで、ワッシャー支持具１aの上側のワッシャーＣは落下を防ぐことができることから、両手を使い取付対象物Ｄを支持しながらナットＥを回転させて一定の位置まで締めた状態でワッシャー支持具１aの一対のハンドル部９と９１に外力を加えて、一対の脚部２aと２bを広げてネジ溝Bより取り外した後、ナットＥを本締めして固定をすることで、極めて効率よく安全に作業を進めることができるものである。
【００２８】
なお、図１０と図１１に示す如く、ワッシャー支持具１ａのハンドル部を９０度曲げた状態のハンドル部９Ａと９ａの構造であると、狭い取付作業ではハンドル部９Ａと９ａの力の加え等の作業が容易にでき効率的である。
【００２９】
また、本発明の第三実施例の形態について図１２、図１３、図１４を参照して説明する。
図１２は本発明の弾力性を有する一対の脚部に複数の湾曲部を形成した第三実施例の形態の平面図である。
図１３は本発明のハンドル部の先端に一対の脚部に複数の湾曲部を形成した第三実施例の形態の平面図である。
図１４は第三実施例のワッシャー支持具の湾曲部をネジ溝に差し込み、挟持した状態の要部斜視図である。
【００３０】
図１２、図１３、図１４に示す如く弾性を有する一対の脚部のワッシャー支持具１１、及びハンドルを備え、ハンドル部先端に脚部のワッシャー支持具１１aの一対の脚部２Ｂと２ｂに径の異なる複数の湾曲部３Ｂと３ｂ、及び３Ｃと３ｃ、及び３Ｄと３dを形成する。
【００３１】
したがって、図１４に示すように三実施例は取付対象物Ｄの取付金具孔ＦをボルトＡのネジ溝Ｂに挿入してナットＥを締めつけ固定する工事において、様々なネジ溝Ｂ、又は胴部の径に対応するため湾曲部３Ｂと３ｂ、又は湾曲部３Ｃと３ｃ、あるいは湾曲部３Ｄと３ｄの何れかに合せて挟持することができることから、ボルトＡのネジ溝Ｂ、あるいは胴部の径に即、対応した取付工事ができ一台のワッシャー支持具１１、又は１１ａで作業ができることから効率を高め、さらに経済的である。
【符号の説明】
【００３２】
1、１a、１１、１１aはワッシャー支持具
２と２２、２Ａと２ａ、２Ｂと２ｂは一対の脚部
３と３３、３Ａと３ａ、３Ｂと３ｂ、３Ｃと３ｃ、３Ｄと３ｄは湾曲部
４、４aはハの字状
５、５１は取っ手部
６、６１は連結部
７、７aは挿入口
８は枢軸
９と９１、９Ａと９ａはハンドル
１０、１０aは押しバネ
Aはボルト
Ｂはネジ溝
Ｃはワッシャー
Ｄは取付対象物
Ｅはナット
Ｆは取付金具孔
【図１】
2016215291.tif 000003
【図２】
2016215291.tif 000004
【図３】
2016215291.tif 000005
【図４】
2016215291.tif 000006
【図５】
2016215291.tif 000007
【図６】
2016215291.tif 000008
【図７】
2016215291.tif 000009
【図８】
2016215291.tif 000010
【図９】
2016215291.tif 000011
【図１０】
2016215291.tif 000012
【図１１】
2016215291.tif 000013
【図１２】
2016215291.tif 000014
【図１３】
2016215291.tif 000015
【図１４】
2016215291.tif 000016